(57)【要約】  【課題】  上下方向の振動と左右方向の振動とを同時に抑制することができる自動車のデフマウント構造を提供すること。  【解決手段】  デファレンシャル装置１を前半部側の２の前側防振装置２と後端部の１の後側防振装置３とを介して車体に支持させる３点支持構造において、後側防止装置３は、第１から第４オリフィスを備え、左右方向の振動に対しては、第１及び第２オリフィスを介して液体が流動する一方、上下方向の振動に対しては、第３及び第４オリフィスを介して液体が流動するように構成されている。よって、各流体流動効果によって、左右方向及び上下方向の振動の両者を共に減衰させることができる。  【選択図】        図１
2006144846.tif 000002
【特許請求の範囲】
【請求項１】
自動車のデファレンシャル装置の前半部側を２の前側防振装置を介して車体に支持させると共に、前記デファレンシャル装置の後端部を１の後側防振装置を介して前記車体に支持させてある自動車のデフマウント構造であって、
前記後側防振装置は、
軸芯が前記車体の前後方向に沿う姿勢に前記デファレンシャル装置の後端部に連結される内筒と、その内筒の外周側に同軸状に配置されると共に前記車体側の取付け穴に圧入される外筒と、その外筒と前記内筒との間に介在し前記内筒を左右方向から挟んで位置する一対の第１ゴム状弾性体と、前記外筒と内筒との間に介在し前記内筒を上下方向から挟んで位置する一対の第２ゴム状弾性体と、
前記外筒と内筒との周方向で前記第１ゴム状弾性体の一方と前記第２ゴム状弾性体の一方との間にそれらを室壁として形成される第１液室と、前記周方向で前記第２ゴム状弾性体の一方と前記第１ゴム状弾性体の他方との間にそれらを室壁として形成される第２液室と、前記周方向で前記第１ゴム状弾性体の他方と前記第２ゴム状弾性体の他方との間にそれらを室壁として形成される第３液室と、前記周方向で前記第２ゴム状弾性体の他方と前記第１ゴム状弾性体の一方との間にそれらを室壁として形成される第４液室と、
前記一対の第２ゴム状弾性体の前記周方向における各側壁がそれぞれ前記第１から第４液室の薄肉の室壁を形成するように前記一対の第２ゴム状弾性体のそれぞれに形成されるすぐり穴と、そのすぐり穴の内周部に突設され前記上下方向における前記内筒と外筒との相対変位を所定の範囲内に抑えるストッパ部と、前記第１液室と第２液室とを連通する第１オリフィスと、前記第３液室と第４液室とを連通する第２オリフィスと、前記第４液室と第１液室とを連通する第３オリフィスとを備えると共に、
前記左右方向の振動が入力されると、前記第１オリフィス及び第２オリフィスのそれぞれを介して液体が流動し、その流体流動効果により前記振動を減衰し得ると共に、前記上下方向の振動が入力されると、前記第３オリフィスを介して液体が流動し、その流体流動効果により前記振動を減衰し得る液封入式防振装置として構成され、
前記後側防振装置のロスファクタは、
前記左右方向の振動に対するロスファクタのピーク周波数が、前記デファレンシャル装置の左右方向振動に基づく共振ピーク周波数ｆａに対して、０．８ｆａ以上かつ１．２ｆａ以下の範囲に設定され、かつ、前記上下方向の振動に対するロスファクタのピーク周波数が、前記デファレンシャル装置の上下方向振動に基づく共振ピーク周波数ｆｂに対して、０．８ｆｂ以上かつ１．２ｆｂ以下の範囲に設定されていることを特徴とする自動車のデフマウント構造。
【請求項２】
前記後側防振装置は、
前記第２液室と第３液室とを連通する第４オリフィスを備え、
前記上下方向の振動が入力されると、前記第３オリフィス及び第４オリフィスのそれぞれを介して液体が流動し、その流体流動効果により前記振動を減衰し得る液封入式防振装置として構成されていることを特徴とする請求項１記載の自動車のデフマウント構造。
【請求項３】
前記デファレンシャル装置の左右及び上下方向振動に基づく共振ピーク周波数ｆａ，ｆｂの測定は、前記後側防振装置を非液封入式の防振装置として構成し、その非液封入式の防振装置と前記前側防振装置とによって前記デファレンシャル装置を支持した状態で行われるものであることを特徴とする請求項１又は２に記載の自動車のデフマウント構造。
【請求項４】
前記デファレンシャル装置の左右方向振動に基づく共振ピーク周波数ｆａは、そのデファレンシャル装置のヨーイング共振により周波数応答曲線に現れる応答極大値の周波数であり、前記デファレンシャル装置の上下方向振動に基づく共振ピーク周波数ｆｂは、そのデファレンシャル装置のピッチング共振によりに周波数応答曲線に現れる応答極大値の周波数であることを特徴とする請求項１から３のいずれかに記載の自動車のデフマウント構造。
【発明の詳細な説明】
【技術分野】
【０００１】
本発明は、自動車のデフマウント構造に関し、特に、上下方向の振動と左右方向の振動とを同時に抑制することができる自動車のデフマウント構造に関するものである。
【背景技術】
【０００２】
自動車のデファレンシャル装置は、プロペラシャフトの後端部に連結される入力軸と、左右のドライブシャフトにそれぞれ連結される左右の出力軸と、それら入出力軸を連結するギヤ機構とを備え、エンジンから入力される駆動力がギヤ機構を介して左右の車輪にスムーズに伝達されるように構成されている。
【０００３】
このデファレンシャル装置は、プロペラシャフトからの回転トルクやドライブシャフトの回転トルク反力等で加振され、ピッチ動きやロール動きが発生する。そのため、一般には、複数の防振装置を介してデファレンシャル装置を車体に支持するデフマウント構造が採用され、車体への振動の入力が防止されている。
【０００４】
例えば、特開２００３−１７５７３７号公報には、リヤデファレンシャル（デファレンシャル装置）を前方左右側の２つのデフマウント（防振装置）と後方左右側の２つのデフマウント（防振装置）とで支持する場合に、前方及び後方のデフマウントの上下ばね定数と、リヤデファレンシャルのファイナルギヤ比とに基づいて、前方及び後方のデフマウントとデフセンタとの作用点間距離を設定する技術が開示されている。この技術によれば、デフマウントのばね定数を必要以上に上げることなくリヤデファレンシャルのロール動きを抑制することができるとされている。
【０００５】
また、例えば、特開２０００−９４９７７号公報には、プロペラシャフトの中心線を挟む前位置２カ所と、前記中心線より左右一方にずれる後位置１カ所とでデフケースをインシュレータ（防振装置）で支持する場合に、ギヤ機構の最終ギヤ比等の値に基づいて、前位置２カ所のインシュレータの上下方向剛性（ばね定数）を異なる値とする技術が開示されている。この技術によれば、デフロール剛性を十分に大きな値に確保しつつデフマウントの低剛性化を図ることができるとされている。
【特許文献１】特開２００３−１７５７３７号（例えば、段落［０００６，００２７］、図１など）
【特許文献２】特許第２８７５７２３号（例えば、段落［００１０，００１３］、図１など）
【発明の開示】
【発明が解決しようとする課題】
【０００６】
しかしながら、上述した従来のデフマウント構造では、一の方向（上下方向）の振動が車体へ入力されることを抑制する技術であり、例えば、ペラアンバランス振動のような左右方向の振動が車体へ入力されることを抑制することができない、即ち、上下方向振動の抑制と他方向振動の抑制とを並立させることができないという問題点があった。
【０００７】
また、上述した従来のデフマウント構造では、例えば、防振装置の静的なばね定数をデフセンタとの作用点間距離やギヤ比などの静的なパラメータに基づいて設定するものであるため、周波数領域で現れる特定の振動モードに対して振動を抑制するということが困難であるという問題点があった。
【０００８】
本発明は上述した問題点を解決するためになされたものであり、上下方向の振動と左右方向の振動とを同時に抑制することができる自動車のデフマウント構造を提供することを目的としている。
【課題を解決するための手段】
【０００９】
この目的を達成するために、請求項１記載の自動車のデフマウント構造は、自動車のデファレンシャル装置の前半部側を２の前側防振装置を介して車体に支持させると共に、前記デファレンシャル装置の後端部を１の後側防振装置を介して前記車体に支持させてあるものであり、前記後側防振装置は、軸芯が前記車体の前後方向に沿う姿勢に前記デファレンシャル装置の後端部に連結される内筒と、その内筒の外周側に同軸状に配置されると共に前記車体側の取付け穴に圧入される外筒と、その外筒と前記内筒との間に介在し前記内筒を左右方向から挟んで位置する一対の第１ゴム状弾性体と、前記外筒と内筒との間に介在し前記内筒を上下方向から挟んで位置する一対の第２ゴム状弾性体と、前記外筒と内筒との周方向で前記第１ゴム状弾性体の一方と前記第２ゴム状弾性体の一方との間にそれらを室壁として形成される第１液室と、前記周方向で前記第２ゴム状弾性体の一方と前記第１ゴム状弾性体の他方との間にそれらを室壁として形成される第２液室と、前記周方向で前記第１ゴム状弾性体の他方と前記第２ゴム状弾性体の他方との間にそれらを室壁として形成される第３液室と、前記周方向で前記第２ゴム状弾性体の他方と前記第１ゴム状弾性体の一方との間にそれらを室壁として形成される第４液室と、前記一対の第２ゴム状弾性体の前記周方向における各側壁がそれぞれ前記第１から第４液室の薄肉の室壁を形成するように前記一対の第２ゴム状弾性体のそれぞれに形成されるすぐり穴と、そのすぐり穴の内周部に突設され前記上下方向における前記内筒と外筒との相対変位を所定の範囲内に抑えるストッパ部と、前記第１液室と第２液室とを連通する第１オリフィスと、前記第３液室と第４液室とを連通する第２オリフィスと、前記第４液室と第１液室とを連通する第３オリフィスとを備えると共に、前記左右方向の振動が入力されると、前記第１オリフィス及び第２オリフィスのそれぞれを介して液体が流動し、その流体流動効果により前記振動を減衰し得ると共に、前記上下方向の振動が入力されると、前記第３オリフィスを介して液体が流動し、その流体流動効果により前記振動を減衰し得る液封入式防振装置として構成され、前記後側防振装置のロスファクタは、前記左右方向の振動に対するロスファクタのピーク周波数が、前記デファレンシャル装置の左右方向振動に基づく共振ピーク周波数ｆａに対して、０．８ｆａ以上かつ１．２ｆａ以下の範囲に設定され、かつ、前記上下方向の振動に対するロスファクタのピーク周波数が、前記デファレンシャル装置の上下方向振動に基づく共振ピーク周波数ｆｂに対して、０．８ｆｂ以上かつ１．２ｆｂ以下の範囲に設定されている。
【００１０】
請求項２記載の自動車のデフマウント構造は、請求項１記載の自動車のデフマウント構造において、前記後側防振装置は、前記第２液室と第３液室とを連通する第４オリフィスを備え、前記上下方向の振動が入力されると、前記第３オリフィス及び第４オリフィスのそれぞれを介して液体が流動し、その流体流動効果により前記振動を減衰し得る液封入式防振装置として構成されている。
【００１１】
請求項３記載の自動車のデフマウント構造は、請求項１又は２に記載の自動車のデフマウント構造において、前記デファレンシャル装置の左右及び上下方向振動に基づく共振ピーク周波数ｆａ，ｆｂの測定は、前記後側防振装置を非液封入式の防振装置として構成し、その非液封入式の防振装置と前記前側防振装置とによって前記デファレンシャル装置を支持した状態で行われるものである。
【００１２】
請求項４記載の自動車のデフマウント構造は、請求項１から３のいずれかに記載の自動車のデフマウント構造において、前記デファレンシャル装置の左右方向振動に基づく共振ピーク周波数ｆａは、そのデファレンシャル装置のヨーイング共振により周波数応答曲線に現れる応答極大値の周波数であり、前記デファレンシャル装置の上下方向振動に基づく共振ピーク周波数ｆｂは、そのデファレンシャル装置のピッチング共振によりに周波数応答曲線に現れる応答極大値の周波数である。
【発明の効果】
【００１３】
請求項１記載の自動車のデフマウント構造によれば、デファレンシャル装置を前半部側の２の前側防振装置と後端部の１の後側防振装置とを介して車体に支持させる３点支持構造であるので、後端部を２の防振装置で支持する従来の４点支持構造と比較して、防振装置の配設個数や組み付け作業工数などを低減することができ、その結果、部品コストや作業コストの大幅な削減を図ることができるという効果がある。
【００１４】
ところで、上述のように、デフマウント構造を３点支持構造とした場合には、４点支持構造とした場合と比較して、デファレンシャル装置の後端側が動きやすくなるため、後側防振装置への入力が増大するところ、本発明では、後側防振装置を液封入式防振装置として構成したので、３点支持構造であっても、振動をより効率的に減衰させて、車体への振動の入力をより確実に抑制することができるという効果がある。
【００１５】
また、本発明では、後側防止装置が第１から第３オリフィスを備えると共に、左右方向の振動に対しては、第１及び第２オリフィスを介して液体が流動する一方、上下方向の振動に対しては、第３オリフィスを介して液体が流動するように構成されているので、それら各流体流動効果によって、左右方向及び上下方向の振動の両者を共に減衰させることができるという効果がある。その結果、車体への振動の入力をより確実に抑制することができるという効果がある。
【００１６】
なお、上述のように、デフマウント構造を３点支持構造とすることは、従来の防振装置では達成が不可能（複数方向の振動を一の防振装置で十分に減衰させることが困難であったため）なものであり、本発明のように上下方向のみならず左右方向の振動も同時に十分に減衰可能な液封入式防振装置を使用することで初めて達成可能となったものであり、これにより防振装置の配設個数の減少によるコスト削減効果と、上下及び左右の振動を同時に減衰させることによる車体への振動入力の抑制（乗り心地の向上）効果とを同時に達成することができる。
【００１７】
ここで、後側防振装置は、一対の第２ゴム状弾性体にすぐり穴が形成され、その一対の第２ゴム状弾性体の周方向における各側壁がそれぞれ第１から第４液室の薄肉の室壁を形成するように構成されているので、振動が入力された場合に第１から第４液室の各容積を変化させやすくすることができると共に、上下方向のばね定数を小さくすることができ、その結果、後述するストッパ部材が作用しない比較的小振幅の振動を高効率に減衰させることができるという効果がある。
【００１８】
更に、上述したすぐり穴の内周部には、上下方向における内筒と外筒との相対変位を所定の範囲内に抑えるストッパ部が突設されているので、内外筒が所定の相対変位が発生した場合には、それを越える相対変位をストッパ部が阻止するので、内外筒の過剰な変位を回避することができるという効果がある。
【００１９】
一方、すぐり穴は第２ゴム状弾性体にのみ形成され、第１ゴム状弾性体にはすぐり穴が形成されていないので、左右方向のばね定数を上下方向のばね定数よりも大きくすることができるという効果があり、その結果、操縦安定性の向上を図ることができるという効果がある。
【００２０】
また、本発明では、後側防振装置の左右方向の振動に対するロスファクタのピーク周波数を、デファレンシャル装置の左右方向振動に基づく共振ピーク周波数ｆａに対して、０．８ｆａ以上かつ１．２ｆａ以下の範囲に設定し、かつ、上下方向の振動に対するロスファクタのピーク周波数を、デファレンシャル装置の上下方向振動に基づく共振ピーク周波数ｆｂに対して、０．８ｆｂ以上かつ１．２ｆｂ以下の範囲に設定している。
【００２１】
これにより、周波数領域で現れる特定の振動モードに対する振動の抑制を確実に行うことができるという効果がある。即ち、周波数領域で現れる特定の振動モードの共振ピーク周波数に基づいて後側防振装置の各方向のロスファクタのピーク周波数をチューニングすることにより、各振動モードのそれぞれに個別に対応して、その振動を減衰させることができる。
【００２２】
なお、本発明の後側防振装置は、上述の通り、第１から第３オリフィスを備え、上下方向と左右方向の振動の両者を共に減衰させることができるので、上下方向と左右方向の２方向の振動における振動モードのそれぞれに個別に対応することができる。その結果、車体への振動の入力を高効率に抑制して、大幅な乗り心地の向上を図ることができるという効果がある。
【００２３】
また、ロスファクタのピーク周波数は、デファレンシャル装置の共振ピーク周波数に対して、２割増又は２割減の範囲内に設定されるものであるので、特定の振動モードに対する振動の抑制効果を確実に得ることができるという効果がある。
【００２４】
一方、このように、ロスファクタのピーク周波数は、デファレンシャル装置の共振ピーク周波数に対して所定の許容範囲を有するものであるので、そのチューニングを容易として、後側防振装置の設計コストの削減を図ることができると共に、寸法公差などに起因する特性のばらつきも許容することができるので、各部品寸法などの管理コストの削減を図ることもできるという効果がある。
【００２５】
請求項２記載の自動車のマウント構造によれば、請求項１記載の自動車のマウント構造の奏する効果に加え、後側防振装置には、第２液室と第３液室とを連通する第４オリフィスが設けられ、上下方向の振動が入力されると、第３オリフィス及び第４オリフィスのそれぞれを介して液体が流動し、その流体流動効果により前記振動を減衰し得るように構成されているので、その分、流体流動効果の向上を図り、車体への振動の入力をより確実に抑制することができるという効果がある。
【００２６】
また、このように、第３オリフィスに加えて、第４オリフィスをも備える構成であれば、第３オリフィスと第４オリフィスとの２種類のオリフィスにそれぞれ異なる流体流動効果を発揮させることもできるので、第３オリフィスだけを備える構成とは異なる周波数の振動をも減衰させることができるという効果がある。なお、第１オリフィスと第２オリフィスに関しても、同様の効果を奏する。
【００２７】
請求項３記載の自動車のマウント構造によれば、請求項１又は２に記載の自動車のマウント構造の奏する効果に加え、デファレンシャル装置の左右及び上下方向振動に基づく共振ピーク周波数ｆａ，ｆｂの測定は、後側防振装置を非液封入式の防振装置として構成し、その非液封入式の防振装置と前側防振装置とによってデファレンシャル装置を支持した状態で行われるものであるので、特定の振動モードに対する振動の減衰を高効率に行うことができるという効果がある。
【００２８】
即ち、上述した状態で特定の振動モードの共振ピーク周波数ｆａ，ｆｂを取得することで、その特定の振動モードの共振ピーク周波数ｆａ，ｆｂを正確に得られると共に、そのようにして取得された共振ピーク周波数ｆａ，ｆｂを後側防振装置のロスファクタの各方向のピーク周波数をチューニングする際の基準とすることで、前記特定の振動モードの振動を最も効率的に減衰させることができる。
【００２９】
請求項４記載の自動車のマウント構造によれば、請求項１から３のいずれかに記載の自動車のマウント構造の奏する効果に加え、デファレンシャル装置の左右方向振動に基づく共振ピーク周波数ｆａは、そのデファレンシャル装置のヨーイング共振により周波数応答曲線に現れる応答極大値の周波数であり、デファレンシャル装置の上下方向振動に基づく共振ピーク周波数ｆｂは、そのデファレンシャル装置のピッチング共振によりに周波数応答曲線に現れる応答極大値のピーク周波数であるので、これら共振ピーク周波数ｆａ，ｆｂに基づいて後側防振装置のロスファクタのピーク周波数を設定することで、デファレンシャル装置の前記各共振を高効率に抑制して、車体への振動の入力を確実に抑制することができるという効果がある。
【００３０】
即ち、前記各共振（ヨーイング共振、ピッチング共振）は、デファレンシャル装置の後端部を支持する後側防振装置による影響が支配的である一方、前記各共振よりも低周波側に現れる共振（上下方向及び左右方向共振）はデファレンシャル装置の前半部を支持する前側防振装置による影響が支配的であるため、後側防振装置のロスファクタのピーク周波数を前記各共振（ヨーイング共振、ピッチング共振）の共振ピーク周波数ｆａ，ｆｂを基準とすることで、各共振を効率的に減衰させて、車体への振動の入力を確実に抑制することができる。
【発明を実施するための最良の形態】
【００３１】
以下、本発明の好ましい実施の形態について、添付図面を参照して説明する。図１は、本発明の一実施の形態における自動車のデフマウント構造を示す斜視図である。なお、図１中の矢印Ｘｆ−Ｘｂ、矢印Ｙｌ−Ｙｒ、及び、矢印Ｚｕ−Ｚｄは、それぞれ車体前後方向、車体左右方向、及び、車体上下方向に対応する。
【００３２】
デファレンシャル装置１は、図１に示すように、プロペラシャフト（図示せず）の後端部に連結される入力軸１１と、左右のドライブシャフト（図示せず）に連結される左右の出力軸１２と、それら入出力軸１１，１２を連結すると共にデフケース１３内に収容されるギヤ機構（図示せず）とを備え、エンジンから入力される駆動力がギヤ機構を介して左右の車輪にスムーズに伝達されるように構成されている。
【００３３】
本実施の形態では、図１に示すように、デファレンシャル装置１の前半部側（図１左側）が２個の前側防振装置２を介して、デファレンシャル装置１の後端部（図１右側）が１個の後側液封入式防振装置３を介して、それぞれサブフレーム４に支持されることで、自動車のデフマウント構造が構成されている。
【００３４】
なお、デファレンシャル装置１の前半部側には、図１に示すように、取り付けブラケット５がボルト固定され、その取り付けブラケット５の左右方向（矢印Ｙｌ−Ｙｒ方向）両端側に、２個の前側防振装置２の外筒２２がそれぞれ圧入保持されると共に、内筒２１がサブフレーム４のブラケット４ａにボルト固定される。前側防振装置２の内外筒２１，２２は、その軸芯Ｏが車体の前後方向（矢印Ｘｆ−Ｘｂ方向）に沿う姿勢となる。
【００３５】
また、後側防振装置３は、図１に示すように、その外筒３２がサブフレーム４の取付け穴４ｂ内に圧入保持されると共に、内筒３１がデファレンシャル装置１の後端部にボルト固定される（図４参照）。後側防振装置３の内外筒３１，３２は、その軸芯Ｏが車体の前後方向（矢印Ｘｆ−Ｘｂ方向）に沿う姿勢となる。
【００３６】
なお、サブフレーム４は、図１に示すように、その四隅部に装着された４個のサブフレームブッシュ４１を介して車体に支持されている。
【００３７】
また、本実施の形態では、図１の矢印Ｚｄ方向視において、２個の前側防振装置２がプロペラシャフトの中心線を挟んで位置すると共に、後側防振装置３が前記中心線よりも車体左側（矢印Ｙｌ方向）にずれて位置し、図１の矢印Ｙｌ−Ｙｒ方向視においては、２個の前側防振装置２の軸芯Ｏがプロペラシャフトの中心線よりも車体下方（矢印Ｚｄ方向）に位置すると共に、後側防振装置３の軸芯Ｏが前記中心線よりも車体上方（矢印Ｚｕ方向）に位置している。
【００３８】
次いで、図２から図７を参照して、後側防振装置３の詳細構成について説明する。図２（ａ）は、後側防振装置３を軸芯Ｏ方向から見た正面図であり、図２（ｂ）は、後側防振装置３を軸芯Ｏ方向に直交する方向から見た側面図である。また、図３は、図２（ｂ）のＩＩＩ−ＩＩＩ線における後側防振装置３の断面図である。
【００３９】
また、図４は、図３のＩＶ−ＩＶ線における後側防振装置３の断面図であり、図５は、図３のＶ−Ｖ線における後側防振装置３の断面図である。図６は、図３のＶＩ−ＶＩ線における後側防振装置３の断面図であり、図７は、図３のＶＩＩ−ＶＩＩ線における後側防振装置３の断面図である。
【００４０】
内筒３１は、図２から図６に示すように、やや肉厚の金属材料から軸芯Ｏを有する円筒状体に構成されている。内筒３１の一端側（図４から図６の左側）には、フランジ部が内周側に張り出し形成されると共に、そのフランジ部がデファレンシャル装置１の後端部にボルト連結されている（図４参照）。
【００４１】
即ち、内筒３１のフランジ部の軸孔３１ａには、図４に示すように、デファレンシャル装置１の後端部から車体後方（図４右側）に突出する取付けボルト５８が挿通されると共に、その取付けボルト５８にはナット５９が螺合締結され、これにより、後側防振装置３は、デファレンシャル装置１の後端部に固定されると共に、その軸芯Ｏが車体の前後方向（図１矢印Ｘｆ−Ｘｂ方向）に沿う姿勢に配置される。
【００４２】
外筒３２は、図２から図６に示すように、内筒３１よりも薄肉の金属材料から軸芯Ｏを有する円筒状体に構成され、内筒３１の外周側に同心状に配設されている。外筒３２は、上述したように、サブフレーム４の取付け孔４ｂ内に圧入保持される（図１参照）。
【００４３】
外筒３２と内筒３１との間には、図２及び図３に示すように、第１及び第２ゴム状弾性体３Ａ〜３Ｄが介在されている。一対の第１ゴム状弾性体３Ａ，３Ｂは、内筒３１を左右方向（図３左右方向）から挟んで位置する一方、一対の第２ゴム状弾性体３Ｃ，３Ｄは、内筒３１を上下方向（図３上下方向）から挟んで位置する。
【００４４】
なお、一対の第１ゴム状弾性体３Ａ，３Ｂが配設される左右方向（図３左右方向）は、車体の左右方向（図１の矢印Ｙｌ−Ｙｒ方向）に対応し、一対の第２ゴム状弾性体３Ｃ，３Ｄが配設される上下方向（図３上下方向）は、車体の上下方向（図１の矢印Ｚｕ−Ｚｄ方向）に対応する。
【００４５】
図３に示すように、一方の第１ゴム状弾性体３Ａと一方の第２ゴム状弾性体３Ｃとの間には、それらを室壁とする第１液室３４が、一方の第２ゴム状弾性体３Ｃと他方の第１ゴム状弾性体３Ｂの間には、それらを室壁とする第２液室３５が、他方の第１ゴム状弾性体３Ｂと他方の第２ゴム状弾性体３Ｄの間には、それらを室壁とする第３液室３６が、他方の第２ゴム状弾性体３Ｄと一方の第１ゴム状弾性体３Ａの間には、それらを室壁とする第４液室３７が、内外筒３１，３２の周方向でそれぞれ形成されている。
【００４６】
これら第１から第４液室３４〜３７には、エチレングリコール等の不凍性の液体が封入されている。なお、かかる液体は例示であり、他の液体を封入することは当然可能である。他の液体としては、例えば、シリコンオイルが例示される。
【００４７】
外筒３２と内筒３１との間には、図３から図６に示すように、金属材料から筒状体に構成される中間筒１０が挿通されている。
【００４８】
中間筒１０は、軸芯Ｏ方向の両端部が外筒３２の内周側に内嵌され、それら両端部の間に位置する中間部分には、図４又は図５に示すように、縮径部が縮径形成され、オリフィス流路が確保されると共に、第１から第４液室３４〜３７に対応する部分には、図６に示すように、開口部が形成され、オリフィス流路と各液室３４〜３７との連通が確保されている。
【００４９】
中間筒１０の縮径部は、図３から図５に示すように、一対の第１周壁１０ａ，１０ｂと、一対の第２周壁１０ｃ，１０ｄとを備えて構成されている。図３に示すように、一対の第１周壁１０ａ，１０ｂは、内筒３１を左右方向（図３左右方向）で挟むように位置する一方、一対の第２周壁１０ｃ，１０ｄは、内筒３１を上下方向（図３上下方向）で挟むように位置する。
【００５０】
第１周壁１０ａ，１０ｂと第２周壁１０ｃ，１０ｄとの間には、上述した開口部が形成されているので、図３に示すように、第１周壁１０ａ，１０ｂと第２周壁１０ｃ，１０ｄは、周方向で間隔を空けて位置する。なお、第２周壁１０ｃ，１０ｄは、第１周壁１０ａ，１０ｂよりも周方向の長さが長くされ、その分、後述するオリフィス流路が長くされている。
【００５１】
また、図３に示すように、第１ゴム状弾性体３Ａ，３Ｂは、第１周壁１０ａ，１０ｂの内周部とこれに対向する内筒３１の外周部との間にそれぞれ加硫接着され、第２ゴム状弾性体３Ｃ，３Ｄは、第２周壁１０ｃ，１０ｄの内周部とこれに対向する内筒３１の外周部との間にそれぞれ加硫接着されている。
【００５２】
一対の第２ゴム状弾性体３Ｃ，３Ｄには、図２から図４に示すように、軸芯Ｏ方向に伸びるすぐり穴６１が貫通形成されている。これにより、図３又は図７に示すように、一対の第２ゴム状弾性体３Ｃ，３Ｄの前記周方向における各側壁６２がそれぞれ第１から第４液室３４〜３７の薄肉の室壁に形成されている。
【００５３】
図３に示すように、第１から第４液室３４〜３７の室壁を構成する一対の第１ゴム状弾性体３Ａ，３Ｂの各側壁６３は、軸芯Ｏに直交する断面視で、左右方向（図３左右方向）に沿って配設されており、第１から第４液室３４〜３７の前記薄肉の室壁を構成する一対の第２ゴム状弾性体３Ｃ，３Ｄの各側壁６２は、軸芯Ｏに直交する断面視で、軸芯Ｏに対して放射状直線状に並んで配設されている。
【００５４】
第１から第４液室３４〜３７の端部壁（内外筒３１，３２の軸芯Ｏ方向両端における壁）は、図２又は図６に示すように、中間筒１０の両端部と内筒３１とにわたって加硫成形したゴム膜６４から構成されている。
【００５５】
また、すぐり穴６１の内周部には、図２から図４に示すように、中間筒１０の第２周壁１０ｃ、１０ｄ側から内筒３１側へ向けて膨出するストッパ部６５が形成されており、上下方向（図３上下方向）における内筒３１と外筒３２との相対変位を所定の範囲内に抑えるように構成されている。
【００５６】
図３から図５に示すように、一方の第２周壁１０ｃと外筒３２との間には、第１液室３４と第２液室３５とを連通する第１オリフィス９１が、他方の第２周壁１０ｄと外筒３２の間には、第３液室３６と第４液室３７とを連通する第２オリフィス９２が、一方の第１周壁１０ａと外筒３２との間には、第４液室３７と第１液室３４とを連通する第３オリフィス９３が、他方の第１周壁１０ｂと外筒３２との間には、第２液室３５と第３液室３６とを連通する第４オリフィス９４が、それぞれ形成されている。
【００５７】
これら第１から第４オリフィス９１〜９４の流路高さ（図４又は図５上下方向寸法）は、それぞれ略同一に設定される一方、第１及び第２オリフィス９１，９２の流路幅（図４左右方向寸法）は、第３及び第４オリフィス９３，９４よりも幅広（本実施の形態では略３．５倍）に形成されている。
【００５８】
なお、第１オリフィス９１は第２オリフィス９２と、第３オリフィス９３は第４オリフィス９４と、それぞれ略同一の流路幅（即ち、流路断面積）に設定されている。但し、これら各オリフィス９１〜９４の流路断面積や流路長さが各オリフィス毎にそれぞれ異なるように構成することは当然可能である。これにより、各オリフィスにそれぞれ異なる流体流動効果を発揮させることもできるので、異なる周波数の振動をも減衰させることができる。
【００５９】
後側防振装置３の製造は、まず、第１及び第２ゴム状弾性体３Ａ，３Ｂ，３Ｃ，３Ｄを内筒３１と中間筒１０との間に加硫成形した後、その成形体（中間筒１０）を外筒３２に液中で内嵌圧入する。次いで、外筒３２に縮径加工を施すと共に、その外筒３２の軸芯Ｏ方向両端部を内周側に折り返すことにより行われる。これにより、後側防振装置３は、液封入式の防振装置として構成される。
【００６０】
以上のように構成された後側防振装置３によれば、内外筒３１，３２が上下方向（図３上下方向）に相対変位すると、その相対変位に伴って、第１液室３４と第４液室３７との間、及び、第２液室３５と第３液室３６との間に容積変化が生じる。その結果、液体が第３及び第４オリフィス９３，９４を介して流動し、その流体流動効果（液体の共振現象）により上下方向の振動が減衰される。
【００６１】
同様に、内外筒３１，３２が左右方向（図３左右方向）に相対変位すると、その相対変位に伴って、第１液室３４と第２液室３５との間、及び、第４液室３７と第３液室３６との間に容積変化が生じる。その結果、液体が第１及び第２オリフィス９１，９２を介して流動し、その流体流動効果（液体の共振現象）により左右方向の振動が減衰される。
【００６２】
なお、内外筒３１，３２が上下方向の相対変位が所定の長さに達すると、ストッパ部６５の頂部が内筒３１の外周部に突き当たり、それを越える上下方向の相対変位が阻止される。
【００６３】
次いで、図８を参照して、前側防振装置２の詳細構成について説明する。図８（ａ）は、前側防振装置２を軸芯Ｏ方向から見た正面図であり、図８（ｂ）は、図８（ａ）のＶＩＩＩｂ−ＶＩＩＩｂ線における前側防振装置２の断面図である。
【００６４】
前側防振装置２は、図８に示すように、内筒２１と、その内筒２１の外周側に同心状に配設される外筒２２と、それら内外筒２１，２２とを連結するゴム状弾性体２３とを備えて構成される。内筒２１は、その軸芯Ｏ方向略中央部に拡径加工が施されている。
【００６５】
また、ゴム状弾性体２３には、図８に示すように、内筒２１を上下方向（図８（ａ）上下方向）から挟んで位置する一対の第１すぐり穴２４と、内筒２１を左右方向（図８（ａ）左右方向）から挟んで位置する一対の第２すぐり穴２５とが軸芯Ｏ方向に沿って貫通形成されている。
【００６６】
なお、第１すぐり穴２４と第２すぐり穴２５とは、図８（ａ）に示すように、周方向で間隔を空けて位置すると共に、第１すぐり穴２４は、第２すぐり穴２５よりも周方向の長さが長くされている。
【００６７】
前側防振装置２は、上述したように、その軸芯Ｏが車体の前後方向（図１の矢印Ｘｆ−Ｘｂ方向）に沿う姿勢で取り付けブラケット５に圧入保持される（図１参照）。即ち、図８（ｂ）の左右方向が車体の前後方向に対応する。
【００６８】
また、前側防振装置２の車体（取り付けブラケット５）への取り付け姿勢は、図８（ａ）の上下方向（一対の第１すぐり穴２４が内筒２１を挟む方向）が車体の上下方向（図１の矢印Ｚｕ−Ｚｄ方向）に、図８（ａ）の左右方向が車体の左右方向（図１の矢印Ｙｌ−Ｙｒ方向）に、それぞれ対応している。
【００６９】
次いで、図９を参照して、加振試験用防振装置１０３の詳細構成について説明する。図９（ａ）は、加振試験用防振装置１０３を軸芯Ｏ方向から見た正面図であり、図９（ｂ）は、図９（ａ）のＩＸｂ−ＩＸｂ線における加振試験用防振装置１０３の断面図である。
【００７０】
加振試験用防振装置１０３は、後述するように、後側防振装置３のロスファクタピーク周波数をチューニングする際、その基準となるデファレンシャル装置１の共振ピーク周波数を検出するために使用される防振装置であり、非液封入式の防振装置として構成されている。
【００７１】
即ち、加振試験用防振装置１０３は、図９に示すように、内筒１３１と、その内筒１３１の外周側に同心状に配設される外筒１３２と、それら内外筒１３１，１３２とを連結するゴム状弾性体１３３とを備えて構成されている。
【００７２】
内筒１３１の一端側（図９（ｂ）左側）には、フランジ部が内周側に張り出し形成されており、このフランジ部が、上述した後側防振装置３と同様に、デファレンシャル装置１の後端部にボルト連結される（図４参照）。
【００７３】
また、ゴム状弾性体１３３には、図９に示すように、内筒１３１を上下方向（図９（ａ）上下方向）から挟んで位置する一対のすぐり穴１３４が軸芯Ｏ方向に沿って貫通形成されている。すぐり穴１３４の内周部には、外筒１３２側から内筒１３１側へ向けて膨出するストッパ部１３５が形成されており、上下方向（図９（ａ）上下方向）における内外筒１３１，１３２の相対変位を所定の範囲内に抑えるように構成されている。
【００７４】
なお、加振試験用防振装置１０３は、その軸芯Ｏが車体の前後方向（図１の矢印Ｘｆ−Ｘｂ方向）に沿う姿勢でサブフレーム４の取付け穴４ｂに圧入保持される（図１参照）。即ち、図９（ｂ）の左右方向が車体の前後方向に対応する。
【００７５】
また、加振試験用防振装置１０３の車体（サブフレーム４）への取り付け姿勢は、図９（ａ）の上下方向（一対のすぐり穴１３４が内筒１３１を挟む方向）が車体の上下方向（図１の矢印Ｚｕ−Ｚｄ方向）に、図９（ａ）の左右方向が車体の左右方向（図１の矢印Ｙｌ−Ｙｒ方向）に、それぞれ対応している。
【００７６】
次いで、図１０を参照して、本発明における自動車のデフマント構造の設定方法について説明する。図１０（ａ）は、上段がデファレンシャル装置１の周波数応答曲線を示す図であり、下段が後側防振装置３の動的特性を示す図である。なお、上段では、上下方向の振動レベルと周波数との関係が図示され、下段では、上下方向振動入力時のロスファクタと周波数との関係が図示されている。
【００７７】
同様に、図１０（ｂ）は、上段がデファレンシャル装置１の周波数応答曲線を示す図であり、下段が後側防振装置３の動的特性を示す図である。なお、上段では、左右方向の振動レベルと周波数との関係が図示され、下段では、左右方向振動入力時のロスファクタと周波数との関係が図示されている。
【００７８】
まず、自動車のデフマウント構造を設定するに際しては、デファレンシャル装置１を上述した構造により車体（サブフレーム４）に支持し（図１参照）、所定の加振条件にて加振実験を行い、振動レベルを測定する。但し、この振動レベルの測定は、後側防振装置３に代えて、非液封式の防振装置として構成した加振試験用防振装置１０３を使用して行われる。
【００７９】
即ち、デファレンシャル装置１の前半部側（図１左側）は、上述した通り、前側防振装置２を介して、サブフレーム４に支持されるが、デファレンシャル装置１の後端部（図１右側）は、後側防振装置３ではなく、加振試験用防振装置１０３を介して、サブフレーム４に支持される。
【００８０】
なお、サブフレーム４は、サブフレームブッシュ４１を介して、固定点上に支持されている（図１参照）。また、デファレンシャル装置１の左右の出力軸１２には、ドライブシャフトが連結されている。
【００８１】
ここで、加振実験は、上下方向振動と左右方向振動の振動現象について振動レベルを測定する。上下方向振動は、加速時のプロペラシャフト及びドライブシャフトが伝達するトルク変動に起因する振動（いわゆるトップスロー）であり、左右方向振動は、プロペラシャフトのオフセットに起因する振動（いわゆるペラアンバランス振動）である。
【００８２】
上下方向振動では、プロペラシャフト（入力軸１１）を加振点とし、その入力軸１１に所定のトルク変動を加振機から入力した。この入力トルク（プロペラシャフトトルク）は、ドライブシャフトトルクをギヤ比で除算した値に対応するものであり、略１５Ｈｚから略８０Ｈｚまでの範囲において、略３００Ｎｍから略４Ｎｍまでの範囲で変動させた。
【００８３】
左右方向振動では、デファレンシャル装置１の入力軸１１（プロペラシャフト連結部）を加振点とし、車体の左右方向（図１矢印Ｙｌ−Ｙｒ方向）に変動する力振幅（±３０Ｎ）を加振機から入力した。なお、左右振動では、ドライブシャフトの先端（車輪側）は、フリー状態で固定点上に載置されている（即ち、図１の矢印Ｚｄ方向変位のみが拘束されている）。
【００８４】
振動レベルは、後側防振装置３の真上となるサブフレーム４上に加速度計を設置し、その設置位置（応答点）における加速度に基づいて評価した。但し、この応答点は一例であり、他の応答点で評価することは当然可能である。例えば、各サブフレームブッシュ４１（図１参照）上に４つの加速度計を設置し、これらの平均値で評価しても良い。また、加速度に限らず、例えば、力センサーにより反力を測定して評価しても良い。
【００８５】
その結果、上述の加振試験により、上下方向振動に関しては、図１０（ａ）の上段に示すような周波数応答曲線１１０が得られ、左右方向振動に関しは、図１０（ｂ）の上段に示すような周波数応答曲線１２０が得られる。
【００８６】
なお、図１０（ａ）及び（ｂ）では、理解を容易とするために、周波数応答曲線１１０，１２０（加振試験用防振装置１０３を使用した加振試験により得られた曲線）が、後述する周波数応答曲線２１０，２２０（本発明の自動車のデフマウント構造により得られた曲線）よりも細い実線で図示されている。
【００８７】
次いで、加振実験により周波数応答曲線１１０，１２０を得た後は、特定の振動モードに対し、その共振ピーク周波数ｆ１，ｆ３を上下方向及び左右方向振動からそれぞれ読み取る。なお、共振ピーク周波数ｆ１，ｆ３とは、図１０（ａ）及び（ｂ）に示すように、周波数応答曲線１１０，１２０に現れる応答極大値Ｐ１，Ｐ３の周波数である。
【００８８】
周波数応答曲線１１０，１２０から共振ピーク周波数ｆ１，ｆ３を読み取った後は、次いで、後側防振装置３の動的特性のチューニングを行い、その上下方向及び左右方向のロスファクタのピーク周波数ｆ２，ｆ４を上述した共振ピーク周波数ｆ１，ｆ３にそれぞれ一致させる（ｆ２＝ｆ１，ｆ４＝ｆ４）。
【００８９】
ピーク周波数ｆ２，ｆ４は、ロスファクタの最大位置Ｐ２，Ｐ４における周波数であり、本実施の形態では、後側防振装置３への入力振幅を、上下方向及び左右方向ともに、±０．２ｍｍとした。この入力振幅を採用した場合に、車体への振動の入力を最も効率的に抑制できるからである。但し、この入力振幅値は一例であり、デファレンシャル装置１等の寸法や各防振装置２，３の配設位置、加振条件、振動モードなどに応じて、入力振幅を適宜変更することは当然可能である。
【００９０】
なお、後側防振装置３の動的特性のチューニングは、上述した第１から第４オリフィス９１〜９４の断面積（流路幅、流路高さ）や流路長さ、第１及び第２ゴム状弾性体３Ａ〜３Ｄの寸法やゴム硬度、或いは、液体の粘度などを適宜調整することにより行うことができる。
【００９１】
ここで、ピーク周波数ｆ２，ｆ４は、共振ピーク周波数ｆ１，ｆ３に一致させることが最も好ましいが、必ずしもこれに限られるものではなく、共振ピーク周波数ｆ１，ｆ３の±２０％の範囲内であれば足りる（０．８ｆ１＜ｆ２＜１．２ｆ１，０．８ｆ３＜ｆ４＜１．２ｆ３）。かかる範囲内であれば、後述するように、後側防振装置３による振動減衰効果を十分に得ることができるからである。
【００９２】
以上のように、後側防振装置３のピーク周波数ｆ２，ｆ４を共振ピーク周波数ｆ１，ｆ３に基づいてチューニングすることで、本発明における自動車のデフマウント構造の設定は完了する。かかる後側防振装置３を使用して上述の加振試験を行った結果が図１０（ａ）及び（ｂ）の上段に示す周波数応答曲線２１０，２２０である。
【００９３】
この周波数応答曲線２１０，２２０が示すように、本発明の自動車のデフマウント構造、即ち、デファレンシャル装置１の前半部側を前側防振装置２でサブフレーム４に支持すると共に、デファレンシャル装置１の後端部を上述の設定が完了した後側防振装置３で支持する構造とすることで、特定の振動モードにおける振動（応答極大値Ｐ１，Ｐ３）を大幅に減衰させることができる。
【００９４】
次いで、図１１から図１４を参照して、本発明のデフマウント構造について行った性能試験について説明する。図１１は、デファレンシャル装置１の周波数応答曲線を示す図であり、上下方向の振動レベルと周波数との関係が図示されている。また、図１２は、後側防振装置３の動的特性を示す図であり、上下方向振動入力時のロスファクタと周波数との関係が図示されている。
【００９５】
同様に、図１３は、デファレンシャル装置１の周波数応答曲線を示す図であり、左右方向の振動レベルと周波数との関係が図示されている。また、図１４は、後側防振装置３の動的特性を示す図であり、左右方向振動入力時のロスファクタと周波数との関係が図示されている。
【００９６】
なお、前側防振装置２の特性値は、上下方向静ばね定数：１８４Ｎ／ｍｍ、上下方向動ばね定数（１００Ｈｚ）：３３３Ｎ／ｍｍ、上下方向ロスファクタ（１５Ｈｚ）：０．１４、左右方向静ばね定数：５３０Ｎ／ｍｍ、左右方向動ばね定数（１００Ｈｚ）：９４６Ｎ／ｍｍ、左右方向ロスファクタ（１５Ｈｚ）：０．１４、前後方向静ばね定数：９５Ｎ／ｍｍ、前後方向動ばね定数（１００Ｈｚ）：１９１Ｎ／ｍｍ、前後方向ロスファクタ（１５Ｈｚ）：０．１４である。
【００９７】
また、加振試験用防振装置１０３の特性値は、上下方向静ばね定数：２４１Ｎ／ｍｍ、上下方向動ばね定数（１００Ｈｚ）：４２３Ｎ／ｍｍ、上下方向ロスファクタ（１５Ｈｚ）：０．０９、左右方向静ばね定数：７５７Ｎ／ｍｍ、左右方向動ばね定数（１００Ｈｚ）：１２３１Ｎ／ｍｍ、左右方向ロスファクタ（１５Ｈｚ）：０．３１、前後方向静ばね定数：１２７Ｎ／ｍｍ、前後方向動ばね定数（１００Ｈｚ）：２２９Ｎ／ｍｍ、前後方向ロスファクタ（１５Ｈｚ）：０．１０である。
【００９８】
このような前側防振装置２及び加振試験用防振装置１０３を介してデファレンシャル装置１をサブフレーム４に支持し、上述した加振試験を行った。その結果、上下方向振動に関しては、図１１に示す周波数応答曲線１３０が得られ、左右方向振動に関しては、図１３に示す周波数応答曲線１４０が得られた。なお、図１１及び図１３では、周波数応答曲線１３０，１４０が太い実線で図示されている。
【００９９】
上下方向振動（周波数応答曲線１３０）では、図１１に示すように、主に、２種類の振動モードにより２つの応答極大値が現れた。略３０Ｈｚを共振ピーク周波数とする振動モードは、デファレンシャル装置１全体が上下方向に変位する上下方向共振であり、略４４Ｈｚを共振ピーク周波数とする振動モードは、デファレンシャル装置１の前端側と後端側とが交互に上下方向に変位するピッチング共振である。
【０１００】
一方、左右方向振動（周波数応答曲線１４０）では、図１３に示すように、略７３Ｈｚを共振ピーク周波数とする応答極大値が現れた。これはデファレンシャル装置１の前端部と後端部とが交互に左右変位するヨーイング共振である。なお、本実施の形態における条件では明確に現れていないが、通常、このヨーイング共振よりも低周波側にデファレンシャル装置１全体が左右方向に変位する左右方向共振が現れる。
【０１０１】
上述した低周波側の上下方向共振及び左右方向共振は、前側防振装置２による影響が支配的である一方、高周波側のピッチング共振及びヨーイング共振は、後側防振装置３による影響が支配的である。そこで、後側防振装置３の上下方向ロスファクタについては、そのピーク周波数を略４４Ｈｚに設定する一方（図１２参照）、左右方向ロスファクタについては、そのピーク周波数を略７３Ｈｚに設定した（図１４参照）。
【０１０２】
なお、後側防振装置３の特性値は、上下方向静ばね定数：２３３Ｎ／ｍｍ、左右方向静ばね定数：１０８１Ｎ／ｍｍ、前後方向静ばね定数：２１９Ｎ／ｍｍである。
【０１０３】
かかる後側防振装置３を使用して上述の加振試験を行った結果が図１１及び図１３に示す周波数応答曲線２３０，２４０である。このように、本発明の自動車のデフマウント構造、即ち、デファレンシャル装置１の前半部側を前側防振装置２でサブフレーム４に支持すると共に、デファレンシャル装置１の後端部を上述のようにロスファクタのピーク周波数を設定した後側防振装置３で支持する構造とすることで、ピッチング共振及びヨーイング共振を高効率に減衰させることのできることが確認された。
【０１０４】
ここで、ロスファクタのピーク周波数は、上述したように、振動モードの共振ピーク周波数に一致させることが最も好ましいが、かかるロスファクタのピーク周波数を共振ピーク周波数に対して変化させた場合の試験結果について説明する。
【０１０５】
図１１に示す周波数応答曲線２５０は、ピッチング共振の共振ピーク周波数（略４４Ｈｚ）に対して、上下方向ロスファクタのピーク周波数を略３５％小さい値（即ち、略２９Ｈｚ）に設定した場合である。一方、図１１に示す周波数応答曲線２６０は、上下方向ロスファクタのピーク周波数を略３５％大きな値（即ち、略６０Ｈｚ）に設定した場合である。
【０１０６】
図１１に示すように、上下方向ロスファクタのピーク周波数を、ピッチング共振の共振ピーク周波数（略４４Ｈｚ）に対し、プラス方向に変化させた場合（周波数応答曲線２６０）には、マイナス方向へ変化させた場合（周波数応答曲線２５０）と比較して、振動減衰効果は小さくなった。
【０１０７】
但し、共振ピーク周波数に対して±略３５％程度の範囲内にロスファクタのピーク周波数が存在すれば、図１１に示すように、振動減衰効果の悪化を招くことはなく、略２０％程度の範囲内であれば、図示は省略するが、ピッチング共振を十分に減衰させ得ることが確認された。
【０１０８】
一方、図１３に示す周波数応答曲線２７０は、ヨーイング共振の共振ピーク周波数（略７３Ｈｚ）に対して、左右方向ロスファクタのピーク周波数を略２０％小さい値（即ち、略５８Ｈｚ）に設定した場合である。一方、図１３に示す周波数応答曲線２８０は、左右方向ロスファクタのピーク周波数を略２０％大きな値（即ち、略８８Ｈｚ）に設定した場合である。
【０１０９】
図１３に示すように、略９０Ｈｚ以下の周波数領域では、ロスファクタのピーク周波数を、ヨーイング共振の共振ピーク周波数（略７３Ｈｚ）に対し、プラス方向（周波数応答曲線２８０）及びマイナス方向（周波数応答曲線２７０）のいずれに変化させた場合でも、ヨーイング共振を十分に減衰させ得ることが確認された。
【０１１０】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【０１１１】
例えば、上記実施の形態では、前側防振装置２を非液封入式の防振装置として構成する場合を説明したが、必ずしもこれに限られるものではなく、前側防振装置２を液封入式の防振装置として構成することは当然可能である。即ち、内筒２１と外筒２２とをゴム状弾性体２３で連結すると共に、それら内外筒２１，２２間に液室を形成し、その液室内に液体を封入して構成するのである。
【０１１２】
なお、液室を複数形成すると共に、それら複数の液室を連通するオリフィス流路を設けても良い。これにより、所定の周波数領域で高減衰特性を得ることができる。或いは、オリフィス流路を設けずに、液室のみを設けても良い。この場合、液室内に封入する液体としては、例えば、シリコングリスなどの粘性の高いものとすることが好ましい。これにより、前側防振装置２の高減衰特性を、所定の周波数領域に限定されることなく、広い周波数領域で得ることができる。
【０１１３】
また、上記実施の形態では、後側防振装置３に第１から第４オリフィス９１〜９４の４本のオリフィス流路を設ける場合を説明したが、必ずしもこれに限られるわけではなく、少なくとも上下方向及び左右方向の振動を減衰するためのオリフィス流路をそれぞれ１本ずつ備える構成であれば、合計本数が３本であっても良く、或いは、５本以上であっても良い。
【０１１４】
また、上記実施の形態では説明を省略したが、加振試験用防振装置１０３は、左右、上下及び前後方向の静ばね定数が後側防振装置３と略同一に設定されていることが最も好ましく、次いで、上下方向静ばね定数が略同一に設定されていることが好ましい。上下方向静ばね定数が略同一であれば、デファレンシャル装置１の初期位置を略一致させ振動モードの変化を抑制することができるからである。
【図面の簡単な説明】
【０１１５】
【図１】本発明の一実施の形態における自動車のデフマウント構造を示す斜視図である。
【図２】（ａ）は、後側防振装置を軸芯方向から見た正面図であり、（ｂ）は、後側防振装置を軸芯方向に直交する方向から見た側面図である。
【図３】図２（ｂ）のＩＩＩ−ＩＩＩ線における後側防振装置の断面図である。
【図４】図３のＩＶ−ＩＶ線における後側防振装置の断面図である。
【図５】図３のＶ−Ｖ線における後側防振装置の断面図である。
【図６】図３のＶＩ−ＶＩ線における後側防振装置の断面図である。
【図７】図３のＶＩＩ−ＶＩＩ線における後側防振装置の断面図である。
【図８】（ａ）は、前側防振装置を軸芯方向から見た正面図であり、（ｂ）は、図８（ａ）のＶＩＩＩｂ−ＶＩＩＩｂ線における前側防振装置の断面図である。
【図９】（ａ）は、加振試験用防振装置を軸芯方向から見た正面図であり、（ｂ）は、図９（ａ）のＩＸｂ−ＩＸｂ線における加振試験用防振装置の断面図である。
【図１０】上段がデファレンシャル装置の上下及び左右方向振動に対する周波数応答曲線を示す図であり、下段が後側防振装置の上下及び左右方向振動入力時の動的特性を示す図である。
【図１１】デファレンシャル装置の上下方向振動に対する周波数応答曲線を示す図である。
【図１２】後側防振装置の上下方向振動入力時の動的特性を示す図である。
【図１３】デファレンシャル装置の左右方向振動に対する周波数応答曲線を示す図である。
【図１４】後側防振装置の左右方向振動入力時の動的特性を示す図である。
【符号の説明】
【０１１６】
１          デファレンシャル装置
２          前側防振装置
３          後側防振装置
３１        内筒
３２        外筒
３Ａ        第１ゴム状弾性体（第１ゴム状弾性体の一方）
３Ｂ        第１ゴム状弾性体（第１ゴム状弾性体の他方）
３Ｃ        第２ゴム状弾性体（第２ゴム状弾性体の一方）
３Ｄ        第２ゴム状弾性体（第２ゴム状弾性体の他方）
６１        すぐり穴
６２        側壁（薄肉の室壁）
６５        ストッパ部
３４        第１液室
３５        第２液室
３６        第３液室
３７        第４液室
９１        第１オリフィス
９２        第２オリフィス
９３        第３オリフィス
９４        第４オリフィス
４          サブフレーム（車体の一部）
４ｂ        取付け穴（車体側の取付け穴）
Ｐ１，Ｐ３  応答極大値
ｆ１        共振ピーク周波数（Ｆｂ）
ｆ３        共振ピーク周波数（Ｆａ）
１０３      加振試験用防振装置（非液封入式の防振装置）
Ｘｆ−Ｘｂ  前後方向
Ｙｌ−Ｙｒ  左右方向
Ｚｕ−Ｚｄ  上下方向
Ｏ          軸芯
【図１】
2006144846.tif 000003
【図２】
2006144846.tif 000004
【図３】
2006144846.tif 000005
【図４】
2006144846.tif 000006
【図５】
2006144846.tif 000007
【図６】
2006144846.tif 000008
【図７】
2006144846.tif 000009
【図８】
2006144846.tif 000010
【図９】
2006144846.tif 000011
【図１０】
2006144846.tif 000012
【図１１】
2006144846.tif 000013
【図１２】
2006144846.tif 000014
【図１３】
2006144846.tif 000015
【図１４】
2006144846.tif 000016